(57)【要約】【課題】フレームの外観に変化を生じさせることができる掲示用フレームを提供することを目的とする。【解決手段】掲示用フレーム１は、それぞれ一対の長辺部材２と短辺部材３を、コーナー部材４を介して矩形状に連結し、ポスター６の外周縁を保持して、ポスター６を長辺部材２および短辺部材３で囲んだ状態で、正面から見えるように支持している。短辺部材３の外周面３ｂは所定の広さに形成され、化粧板８を配置するための凹部３ｃが設けられている。化粧板８は、両面テープ９によって、凹部３ｃに付け替え可能に取り付けられている。【選択図】図５
0003121484.tif 000002
【実用新案登録請求の範囲】
【請求項１】
互いに連結されるとともに、掲示物の外周縁を保持する複数の枠部材を備え、該枠部材に囲まれた前記掲示物を正面から見えるように支持する掲示用フレームにおいて、
前記枠部材の表面に所定の広さの装飾部を形成し、該装飾部には、化粧板を付け替え可能に取り付けたことを特徴とする掲示用フレーム。
【請求項２】
前記化粧板は両面テープによって前記装飾部に取り付けられたことを特徴とする請求項１記載の掲示用フレーム。
【請求項３】
前記装飾部には、前記化粧板を配置するための凹部が形成されたことを特徴とする請求項１または請求項２記載の掲示用フレーム。
【考案の詳細な説明】
【技術分野】
【０００１】
本考案は、掲示用フレームに関する。
【背景技術】
【０００２】
複数の枠部材を矩形状に連結して、掲示物の外周縁を保持する掲示用フレームに関する従来技術があった（例えば、特許文献１参照）。これは、複数の枠部材を、部材の長さ方向に延びた回転軸上を回動させて閉じることにより、それらで掲示物を取り囲むことができ、簡単な操作で、掲示物を容易に支持できるものであった。
【特許文献１】特開２００５−５２６３３公報（第１図）
【考案の開示】
【考案が解決しようとする課題】
【０００３】
しかしながら、上述した従来技術による掲示用フレームは、主に複数の枠部材のみで構成された簡素なもので、その外観上のデザインが単調で、掲示場所の様々な雰囲気に対応させることができず、支持する掲示物の種類、あるいは掲示場所の雰囲気等に合わない場合、それに適応させるためには、別のデザインのフレームに取り換えざるを得なかった。本考案は上記のような事情に基づいて完成されたものであって、フレームの外観に変化を生じさせることができる掲示用フレームを提供することを目的とする。
【課題を解決するための手段】
【０００４】
本考案による掲示用フレームは、枠部材の表面に所定の広さの装飾部を形成し、該装飾部には、化粧板を付け替え可能に取り付けた。
このようにすることにより、枠部材に取り付けられる化粧板を付け替えることで、支持する掲示物の種類、あるいは状況等に応じて、フレームの外観に変化を生じさせることができる。
【０００５】
本考案の実施態様として、次の構成が好ましい。
（１）化粧板は両面テープによって装飾部に取り付けられたことにより、その付け替えを短時間で容易に行うことができる。
（２）装飾部には、化粧板を配置するための凹部が形成されたことにより、化粧板の付け替え時の位置決めが容易で、取り付けた化粧板の位置ずれを防止することができる。また、凹部内に化粧板を配置することで、枠部材と化粧板の表面とを面一にでき、見栄えのよい掲示用フレームにすることができる。
【考案の効果】
【０００６】
枠部材に取り付けられる化粧板を付け替えることで、支持する掲示物の種類、あるいは状況等に応じて、フレームの外観に変化を生じさせることができるため、一つで、様々な雰囲気に対応できる低コストの掲示用フレームにすることができる。
【考案を実施するための最良の形態】
【０００７】
以下、本考案の実施形態を添付図面に基づいて説明する。掲示用フレーム１は、通常、図１に示した状態で壁等に掛けて使用されるが、図２乃至図４における上方を、説明中の上方とする。本実施形態による掲示用フレーム１（以下、フレーム１と呼ぶ）は、アルミニウムの押し出し成形によって形成された一対の長辺部材２、一対の短辺部材３および４個のコーナー部材４を具備している。長辺部材２および短辺部材３は、本考案の枠部材に該当し、図１に示すように、それぞれが互いに対向するように矩形状に配置され、長辺部材２と短辺部材３の端部はコーナー部材４に嵌合することにより、コーナー部材４を介して互いに連結されている。
【０００８】
それぞれの長辺部材２は、固定部材２１とこれに取り付けられた保持部材２２、および双方の間に弾発的に介装された板バネ２３によって形成されている（図２示）。保持部材２２には、断面が半円状の回動凹部２２ａが、その長さ方向に沿って延びるように形成されており、固定部材２１の側端部においてその長さ方向に延びた、断面が真円状のヒンジ部２１ａと係合している。これによって、保持部材２２は、固定部材２１に対して、ヒンジ部２１ａを回転軸として回動可能とされている。
【０００９】
固定部材２１の内方側端部（図２において左端部）には、その長さ方向に延びる固定溝２１ｂが形成されており、これには、合板、あるいは樹脂材料等によって形成されたバックボード５の外周部が収容されている。バックボード５上には、掲示物である紙製のポスター６が、その掲示面を上にして載置され、更にその上には、ポリエチレンテレフタレート等の樹脂材料にて形成された透明カバー７が配置されている。
【００１０】
図２において、保持部材２２を回動させて、透明カバー７の上から被せると（長辺部材２の閉止状態）、板バネ２３からの弾発力によって、保持部材２２が反時計方向に付勢されて透明カバー７を押圧し、ポスター６がバックボード５との間で挟持される。これによって、ポスター６は、その外周縁が長辺部材２によって保持され、長辺部材２および短辺部材３に囲まれた状態で、正面（図２において上方）から見えるようにフレーム１に支持される（図１示）。
また、板バネ２３からの付勢力に抗して、保持部材２２を図２おいて時計方向に回動させると、透明カバー７を取り外し可能となり、バックボード５上のポスター６を取り換え可能な状態となる（長辺部材２の開放状態、図３示）。
【００１１】
一方、各々の短辺部材３の内方側端部（図４において左端部）にも、バックボード５の外周縁を収容する保持溝３ａが形成されており、バックボード５上のポスター６および透明カバー７の側端部は、短辺部材３に当接して位置決めされている（図４示）。短辺部材３の外周面（上面）３ｂは本考案の装飾部に該当し、後述する化粧板８を取り付け可能なように所定の広さに形成されるとともに、化粧板８が配置されるように、その底部が平坦な凹部３ｃが形成されている。化粧板８は通常のメラミン樹脂化粧板であって、その表面には、木目、あるいは大理石模様等が施されている。化粧板８は、両面テープ９によって、凹部３ｃ内に付け替え可能に取り付けられており、図４に示すように、凹部３ｃに嵌合することにより、その位置決めが行われるとともに、その表面は短辺部材３の外周面３ｂと面一となっている。フレーム１は、両面テープ９を剥がして化粧板８を凹部３ｃから取り外し、新たに、化粧板８とは異なる模様を有する化粧板８Ａを凹部３ｃに取り付けることにより、その外観を変化させることができる（図５示）。
【００１２】
本実施形態によれば、短辺部材３の外周面３ｂを所定の広さに形成し、そこには、化粧板８を付け替え可能に取り付けた。このようにすることにより、短辺部材３に取り付けられる化粧板８を付け替えることで、支持するポスター６等の掲示物の種類、あるいは掲示する状況等に応じて、フレーム１の外観に変化を生じさせることができるため、一つで、様々な雰囲気に対応できる低コストのフレーム１にすることができる。また、化粧板８は両面テープ９によって短辺部材３に取り付けられたことにより、その付け替えを短時間で容易に行うことができる。また、短辺部材３には、化粧板８を配置するための凹部３ｃを形成したことにより、化粧板８の付け替え時の位置決めが容易で、取り付けた化粧板８の位置ずれを防止することができる。また、凹部３ｃ内に化粧板８を配置することで、短辺部材３と化粧板８の表面とを面一にでき、見栄えのよいフレーム１にすることができる。
【００１３】
＜他の実施形態＞
本考案は上記記述及び図面によって説明した実施形態に限定されるものではなく、例えば次のような実施形態も本考案の技術的範囲に含まれ、さらに、下記以外にも要旨を逸脱しない範囲内で種々変更して実施することができる。
（１）本実施形態による掲示用フレームは、絵画、地図といったポスター以外のあらゆる掲示物を収容することが可能である。
（２）化粧板は枠部材に何個取り付けてもよい。
（３）化粧板は、回動可能な長辺部材に取り付けてもよい。
（４）枠部材は必ずしも４個でなければならないわけではなく、また、掲示物を囲んでいれば、必ずしも矩形状に配置されていなくてもよい。
（５）化粧板は、ビス締め、面ファスナー等によって、枠部材に付け替え可能に取り付けてもよい。
【図面の簡単な説明】
【００１４】
【図１】本実施形態による掲示用フレームの正面図
【図２】図１に示した掲示用フレームのＡ−Ａ断面図
【図３】図２に示した長辺部材の開放状態を示す断面図
【図４】図１に示した掲示用フレームのＢ−Ｂ断面図
【図５】図１に示した掲示用フレームにおいて化粧板の付け替えを示す正面図
【符号の説明】
【００１５】
１…掲示用フレーム
２…長辺部材
３…短辺部材
３ｂ…短辺部材の外周面
３ｃ…凹部
４…コーナー部材
６…ポスター
８、８Ａ…化粧板
９…両面テープ
【図１】
0003121484.tif 000003
【図２】
0003121484.tif 000004
【図３】
0003121484.tif 000005
【図４】
0003121484.tif 000006
【図５】
0003121484.tif 000007